【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
データ・ストレージ・デバイスであって、
ストレージ・メディア（２）と、
前記ストレージ・メディア（２）にインデント・マーク（２８）を形成するように設計された少なくとも１つのプローブ（１０）と、
前記プローブ（１０）に作用して前記インデント・マーク（２８）の１つを形成する制御パラメータを生成するように設計された制御ユニット（３４）と、
を備え、前記制御ユニット（３４）がさらに、少なくとも所与の数（ｎ＿ｔｈｒ）の連続するインデント・マーク（２８）が互いの間に所与の最小距離をあけて形成されるべきときには、前記制御パラメータを変更するように設計されている、
データ・ストレージ・デバイス。
【請求項２】
前記制御ユニット（３４）が、前記プローブ（１０）へのその適用時間を変化させることによって前記制御パラメータを変更し、前記インデント・マーク（２８）の形成の間の時間を変化させるように設計されている、請求項１に記載のデータ・ストレージ・デバイス。
【請求項３】
前記制御ユニット（３４）が、前記プローブ（１０）へのその適用時間を変化させて、前記連続インデント・マーク（２８）が２つの連続インデント・マーク（２８）間の公称最小時間間隔のシフトで形成されるようにすることによって、前記制御パラメータを変更するように設計され、前記シフトは、前記連続インデント・マーク（２８）の最初の１つについての最小値（ｓ＿ｍｉｎ）と、前記連続インデント・マーク（２８）の最後の１つに向けて徐々に増加した最大値（ｓ＿ｍａｘ）とを有する、請求項２に記載のデータ・ストレージ・デバイス。
【請求項４】
前記制御ユニット（３４）は、前記最小値（ｓ＿ｍｉｎ）が前記最大値（ｓ＿ｍａｘ）と同じ絶対値を有し、前記連続インデント・マーク（２８）の中央におけるインデント・マークが最小の絶対値のシフトで形成されるように設計されている、請求項３に記載のデータ・ストレージ・デバイス。
【請求項５】
前記制御ユニット（３４）は、前記制御パラメータが前記プローブ（１０）と前記ストレージ・メディア（２）との間にかけられる力（Ｆ）に作用するように設計されている、請求項１に記載のデータ・ストレージ・デバイス。
【請求項６】
前記制御ユニット（３４）は、前記連続インデント・マーク（２８）の最初の１つを形成するためにかけられる最大力（Ｆ＿ｍａｘ）から前記インデント・マーク（２８）の最後の１つを形成するためにかけられる最小力（Ｆ＿ｍｉｎ）まで減少するように設計されている、請求項５に記載のデータ・ストレージ・デバイス。
【請求項７】
前記制御ユニット（３４）は、前記力（Ｆ）が、前記連続インデント・マーク（２８）の各々の相対位置に依存し、前記インデント・マーク（２８）の所与の数に関して減少し、最大力（Ｆ＿ｍａｘ）と最小力（Ｆ＿ｍｉｎ）との間に制限され、連続インデント・マーク（２８）の総数とは無関係であるように設計されている、請求項５に記載のデータ・ストレージ・デバイス。
【請求項８】
前記制御ユニット（３４）は、前記制御パラメータが、前記プローブ（１０）を介して前記ストレージ・メディア（２）に適用される加熱電力（Ｐ）に作用するように設計されている、請求項１から請求項７のいずれか１項に記載のデータ・ストレージ・デバイス。
【請求項９】
前記制御ユニット（３４）は、前記加熱電力（Ｐ）が、前記連続インデント・マーク（２８）の最初の１つを形成するために適用される最大加熱電力（Ｐ＿ｍａｘ）から前記連続インデント・マーク（２８）の最後の１つを形成するために適用される最小加熱電力（Ｐ＿ｍｉｎ）まで減少するように設計されている、請求項８に記載のデータ・ストレージ・デバイス。
【請求項１０】
前記制御ユニット（３４）は、前記加熱電力（Ｐ）が、前記連続インデント・マーク（２８）の各々の前記相対位置に依存し、連続インデント・マーク（２８）の所与の数に関して減少し、最大加熱電力（Ｐ＿ｍａｘ）と最小加熱電力（Ｐ＿ｍｉｎ）との間に制限され、連続インデント・マーク（２８）の総数とは無関係であるように設計されている、請求項８に記載のデータ・ストレージ・デバイス。
【請求項１１】
少なくとも最小数のインデント・マーク（２８）なしが、連続インデント・マーク（２８）によって表される非コード化方式の情報ユニット間に配置される方法で、インデント・マーク（２８）の有無によって表される情報をコーディングするためのコーディング・ユニットを備える、請求項１から請求項１０のいずれか１項に記載のデータ・ストレージ・デバイス。
【請求項１２】
互いの間に前記所与の最小距離をもつ連続インデント・マーク（２８）の所与の数を越えない方法で、インデント・マーク（２８）の有無によって表される情報をコーディングするためのコーディング・ユニットをさらに備える、請求項１から請求項１１のいずれか１項に記載のデータ・ストレージ・デバイス。
【請求項１３】
ストレージ・メディアと、前記ストレージ・メディア（２）にインデント・マーク（２８）を形成するように設計された少なくとも１つのプローブ（１０）と、前記プローブ（１０）に作用して前記インデント・マーク（２８）の１つを形成する制御パラメータを生成するように設計された制御ユニット（３４）とを備えるデータ・ストレージ・デバイスを作動させる方法であって、
少なくとも所与の数の連続するインデント・マーク（２８）が互いの間に所与の最小距離をあけて形成されるべきときに、前記制御パラメータが変更される、方法。
【請求項１４】
前記制御パラメータが、前記プローブ（１０）へのその適用時間を変化させることによって変更され、前記インデント・マーク（２８）の形成の間の時間を変化させる、請求項１３に記載の方法。
【請求項１５】
前記連続インデント・マーク（２８）が、２つの連続インデント・マーク（２８）間の公称最小時間間隔へのシフトで形成され、前記シフトが、前記連続インデント・マーク（２８）の最初の１つについての最小値（ｓ＿ｍｉｎ）と、前記連続インデント・マーク（２８）の最後の１つに向けて徐々に増加した最大値（ｓ＿ｍａｘ）とを有する、請求項１４に記載の方法。
【請求項１６】
前記最小値（ｓ＿ｍｉｎ）が前記最大値（ｓ＿ｍａｘ）と同じ絶対値を有し、前記連続インデント・マーク（２８）の中央におけるインデント・マークが最小の絶対値のシフトで形成された、請求項１５に記載の方法。
【請求項１７】
前記制御パラメータが、前記プローブ（１０）と前記ストレージ・メディア（２）との間にかけられる力（Ｆ）に作用する、請求項１３に記載の方法。
【請求項１８】
前記力（Ｆ）は、前記連続インデント・マーク（２８）の最初の１つを形成するためにかけられる最大力（Ｆ＿ｍａｘ）から前記インデント・マーク（２８）の最後の１つを形成するためにかけられる最小力（Ｆ＿ｍｉｎ）まで減少する、請求項１７に記載の方法。
【請求項１９】
前記力（Ｆ）は、各々の前記連続インデント・マーク（２８）の相対位置に依存し、前記インデント・マーク（２８）の所与の数に関して減少し、最大力（Ｆ＿ｍａｘ）と最小力（Ｆ＿ｍｉｎ）との間に制限され、連続インデント・マーク（２８）の総数とは無関係である、請求項１７に記載の方法。
【請求項２０】
前記制御パラメータが、前記プローブ（１０）を介して前記ストレージ・メディア（２）に適用される加熱電力（Ｐ）に作用する、請求項１３から請求項１９のいずれか１項に記載の方法。
【請求項２１】
前記加熱電力（Ｐ）は、前記連続インデント・マーク（２８）の最初の１つを形成するために適用される最大加熱電力（Ｐ＿ｍａｘ）から前記連続インデント・マーク（２８）の最後の１つを形成するために適用される最小加熱電力（Ｐ＿ｍｉｎ）まで減少する、請求項２０に記載の方法。
【請求項２２】
前記加熱電力（Ｐ）は、前記連続インデント・マーク（２８）の各々の前記相対位置に依存し、前記連続インデント・マーク（２８）の所与の数に関して減少し、最大加熱電力（Ｐ＿ｍａｘ）と最小加熱電力（Ｐ＿ｍｉｎ）との間に制限され、連続インデント・マーク（２８）の総数とは無関係である、請求項２０に記載の方法。
【請求項２３】
コーディング・ユニットが、少なくとも最小数のインデント・マーク（２８）なしが、連続インデント・マーク（２８）によって表される非コード化方式の情報ユニット間に配置される方法で、インデント・マーク（２８）の有無によって表される情報をコード化する、請求項１３から請求項２２のいずれか１項に記載の方法。
【請求項２４】
コーディング・ユニットがさらに、互いの間に前記所与の最小距離をもつ連続インデント・マーク（２８）の所与の数を超えない方法で、インデント・マーク（２８）の有無によって表される情報をコード化する、請求項１３から請求項２３のいずれか１項に記載の方法。
【請求項２５】
制御ユニットの処理ユニットにロードされたときに請求項１３から請求項２４までのいずれか１項に記載の方法をコンピュータに実行させるためのコンピュータ・プログラム・コード手段を備えた、コンピュータ・プログラム。